(57)【要約】【課題】広い設置スペースを必要とせず、簡単に設置することのできる、新規の螺旋魚道を提供する。【解決手段】円筒状の外枠１と外枠１の中心軸上に設けられた支柱軸３との間に、上面が扇形状に開口した容器状に形成された複数のユニット４ａを螺旋階段状に連接した。広い設置スペースを必要とせず、簡単に設置することができる。支持軸３に係止可能な係止手段10をユニット４ａに設けた。ユニット４ａを所定位置に確実に固定することができる。ユニット４ａを所定数ごとに一体に固定した。組立てを容易にすることができる。【選択図】図１
2009287208.tif 000002
【特許請求の範囲】
【請求項１】
円筒状の外枠とこの外枠の中心軸上に設けられた支柱軸との間に、上面が扇形状に開口した容器状に形成された複数のユニットを螺旋階段状に連接したことを特徴とする螺旋魚道。
【請求項２】
前記支持軸に係止可能な係止手段を前記ユニットに設けたことを特徴とする請求項１記載の螺旋魚道。
【請求項３】
前記ユニットを所定数ごとに一体に固定したことを特徴とする請求項１記載の螺旋魚道。
【発明の詳細な説明】
【技術分野】
【０００１】
本発明は、水田と水路の間に設置される螺旋魚道に関する。
【背景技術】
【０００２】
近年の水田の用水路や排水路のコンクリート化によって、水田と用水路や排水路の間を魚類や両生類などの水棲動物が往来しくにい環境になってきている。このため、水田と用水路や排水路の間を水棲動物が往来することができるように、小型の魚道を設ける試みがなされている。しかし、従来の水田に設けられている魚道は、直線斜面型であって広い設置スペースを必要とするという問題があった。なお、魚道を螺旋状の立体形状に形成したものも知られているが（例えば、特許文献１）、魚道を螺旋状に形成することが開示されるのみで魚道の支持構造が不明であり、実現性に乏しい。
【０００３】
一方、河川を対象とした魚道として、設置スペースを省略するために水路を螺旋階段状に構成した螺旋魚道が知られている（例えば、特許文献２）。しかし、この螺旋魚道は、コンクリートブロックを現場で組み立ててなるものであり、このまま水田に設置するにはあまりにも大掛かりすぎるという問題があった。
【特許文献１】特開２００１−３２９５２５号公報
【特許文献２】特開昭５７−１９７３０９号公報
【発明の開示】
【発明が解決しようとする課題】
【０００４】
そこで、本発明は、上記の問題を解決し、広い設置スペースを必要とせず、簡単に設置することのできる、新規の螺旋魚道を提供することを目的とする。
【課題を解決するための手段】
【０００５】
本発明の螺旋魚道は、円筒状の外枠とこの外枠の中心軸上に設けられた支柱軸との間に、上面が扇形状に開口した容器状に形成された複数のユニットを螺旋階段状に連接したことを特徴とする。
【０００６】
また、前記支持軸に係止可能な係止手段を前記ユニットに設けたことを特徴とする。
【０００７】
さらに、前記ユニットを所定数ごとに一体に固定したことを特徴とする。
【発明の効果】
【０００８】
本発明の螺旋魚道によれば、円筒状の外枠とこの外枠の中心軸上に設けられた支柱軸との間に、上面が扇形状に開口した容器状に形成された複数のユニットを螺旋階段状に連接したものであり、広い設置スペースを必要とせず、簡単に設置することができる。
【０００９】
また、前記支持軸に係止可能な係止手段を前記ユニットに設けたものであり、ユニットを所定位置に確実に固定することができる。
【００１０】
さらに、前記ユニットを所定数ごとに一体に固定したものであり、組立てを容易にすることができる。
【発明を実施するための最良の形態】
【００１１】
以下、本発明の螺旋魚道の実施例について、添付した図面を参照しながら説明する。なお、本発明は、以下の実施例により限定されるものではなく、種々の変形実施が可能である。
【実施例１】
【００１２】
本実施例の螺旋魚道の全体を示す図１において、１は、円筒状の外枠であり、円筒状の複数の外枠ユニット１ａ〜１ｃを積み上げて構成されている。そして、外枠ユニット１ｂの数を調整することによって、外枠１の高さを調整できるようになっている。なお、これら外枠ユニット１ａ〜１ｃは、コンクリートや樹脂などにより形成されている。外枠ユニット１ｃは、台座２の上に載置されている。また、外枠１の中心軸上には支柱軸３が設けられ、支柱軸３は台座２の中央に固定されている。
【００１３】
外枠１と支柱軸３との間には、上面が扇形状に開口した容器状に形成された複数のユニット４ａが螺旋階段状に連接して設けられている。ユニット４ａは、樹脂又は薄い鋼板から形成され、軽量化が図られている。なお、図１では省略しているが、ユニット４ａは、外枠１の上部から台座２の上面まで、支柱軸３に沿って連続して設けられ、ユニット螺旋４を形成している。外枠１の最下部の外枠ユニット１ｃの側面には入口５が開口して形成され、最上部の外枠ユニット１ａの側面には出口６が箱型に開口して形成されている。また、ユニット４ａには、維持管理時に用いられる水抜き用の孔７と、孔７を塞ぐ栓８が設けられている。そして、隣り合うユニット４ａ同士の段差は３〜１０ｃｍの範囲で調整可能に構成され、各ユニット４ａの深さは１０〜１５ｃｍ、ユニット４ａの上面の開口がなす扇形状の中心角は６０〜１２０°となっており、入口５から入った魚が螺旋階段状に連接したユニット４ａの段差を飛び越えながら溯上し、出口６に達することができるように構成されている。
【００１４】
図２に、ユニット４ａの変形例として、種々の側面の切り欠き形状Ａ，Ｂ，Ｃ，Ｄを有する例を示す。矢印は水の流れる向きを示す。切り欠き形状Ａ，Ｂ，Ｃ，Ｄの位置や大きさに応じて水の流速が変わることから、適宜、ユニット４ａを組み替え、或いは、種々の切り欠き形状を有するユニット４ａを組み合わせて用いることで水の流速を調節して、必要とされる多様な流速環境に対応することができるようになっている。
【００１５】
図３に、支柱軸３とユニット４ａの接続構造を示す水平断面図を示す。支柱軸３には溝９が形成されており、ユニット４ａには溝９に係止する係止手段10が設けられている。そして、係止手段10を支柱軸３の端部から溝９に差し込むことによって、係止手段10が溝９に係止されて、ユニット４ａが支持軸３の任意の位置に固定されるようになっている。
【００１６】
また、図４に示すように、支柱軸３は、複数の支柱軸ユニット３ａから形成されている。支柱軸ユニット３ａには、端部に係合凹部11と係合凸部12が設けられており、係合凹部11と係合凸部12を係合させることによって、支柱軸ユニット３ａ同士が接続されるようになっている。そして、支柱軸３の長さは、支柱軸ユニット３ａの数を調整することによって容易に可変できるようになっている。
【００１７】
図５に、支柱軸ユニット３ａの変形例を示す。（ａ）は、支持軸ユニット３ａの側面にユニット４ａの位置固定のためのリング13を設けた例である。リング13上にユニット４ａの係止手段10の下端が接して、ユニット４ａの位置が固定されるようになっている。支持軸ユニット３ａの側面には、リング13のずれ防止のためのボルト14が一定間隔で設けられている。（ｂ）は、支持軸ユニット３ａの内部にユニット４ａの位置固定のためのストッパーユニット15を設けた例である。この例においても、ストッパーユニット15上にユニット４ａの係止手段10の下端が接して、ユニット４ａの位置が固定されるようになっている。ストッパーユニット15の長さを調節することにより、ユニット４ａの位置を調節できるようになっている。
【００１８】
図６に、入口５付近の変形例を示す。入口５には箱型の誘導口16が接続し、誘導口16の側面に、渦流板17が固定されている。渦流板17は、誘導口16の外部に向けた開口部の側面から突出して設けられ、渦流板17により誘導口16に渦流が発生して、魚を誘導口16に誘導するようになっている。この構成は、流速の大きい場所に設置する際に有効である。
【００１９】
図７に、出口６付近の変形例を示す。出口６には箱型のピット18が接続している。ピット18は、排水路Ｘの途中に設けられており、排水路Ｘの断面よりも大きい断面を有している。また、ピット18は、排水路Ｘの上流側で深く形成され、排水路Ｘの下流側に向かって徐々に浅くなるように形成されている。また、出口６の水流の向きと、排水路Ｘの水流の向きは、直交するように設置されている。ピット18内には、排水路Ｘの水流が直接出口６に向かわないようにする目的で、導流板19が設置されている。導流板19は排水路Ｘの水流の向きと平行に設置され、出口６への土砂の流入が防止されるようになっている。
【００２０】
図８に、出口６付近の別の変形例を示す。出口６には箱型の排水枡20が接続している。排水枡20は、水田などの圃場内に設置されることを目的としている。排水枡20は、出口６よりも深く形成されている。出口６と直交する側面に切り欠き21を有し、圃場の水が切り欠き21から排水枡20に流入する構造になっている。そして、切り欠き21から流入した水が排水枡20で直角に角度を変えて出口６に流れることで、ごみが排水枡20内に止まるようになっている。また、排水枡20は、螺旋魚道を上ってきた魚の一時休憩所にもなる。
【００２１】
以上のように、本実施例の螺旋魚道は、円筒状の外枠１とこの外枠１の中心軸上に設けられた支柱軸３との間に、上面が扇形状に開口した容器状に形成された複数のユニット４ａを螺旋階段状に連接したものであり、広い設置スペースを必要とせず、簡単に設置することができる。
【００２２】
また、前記支持軸３に係止可能な係止手段10を前記ユニット４ａに設けたものであり、ユニット４ａを所定位置に確実に固定することができる。
【実施例２】
【００２３】
以下の実施例において、実施例１と同様の部分には同じ符号を付し、その説明を省略する。
【００２４】
本実施例は、図９に示すように、所定数のユニット４ａを螺旋階段状に連接したユニット螺旋４を一体に固定したものである。ユニット螺旋４は、樹脂成形によって一体に成形することができ、また、薄い鋼板からなるユニット４ａを溶接などにより接合したものであってもよい。なお、本実施例では、６つのユニット４ａを連接して、支柱軸３上の一回転分をユニット螺旋４の一単位としているが、例えば、支柱軸３上の半回転分を一単位として形成してもよい。
【００２５】
図１０に、ユニット螺旋４内の隣接するユニット４ａ間に堰板22を設けた例を示す。堰板22は、図１１に示すように、ユニット４ａに形成された溝23に嵌合して固定されるように構成されている。堰板22の高さを調節することにより、ユニット４ａ内の水の深さや、ユニット４ａ内を流れる水の流速を調節することができるようになっている。
【００２６】
図１２に、堰板22の変形例として、種々の切り欠き形状Ｅ，Ｆ，Ｇを有する例を示す。切り欠き形状Ｅ，Ｆ，Ｇの位置や大きさに応じて水の流速が変わることから、適宜、堰板22を取り替えることで水の流速を調節して、必要とされる多様な流速環境に対応することができるようになっている。
【００２７】
以上のように、本実施例の螺旋魚道は、ユニット４ａを所定数ごとに一体に固定したものであり、ユニット螺旋４の単位で一度に複数のユニット４ａを設置することができるため、現場での螺旋魚道の設置の際のユニット４ａの組立てを容易にすることができる。
【実施例３】
【００２８】
本実施例は、図１３に示すように、実施例２のユニット螺旋４の代わりに、コルゲートパイプ23を設けたものである。コルゲートパイプ23の下端部には、魚に進入口を教えるための導入ゲート24が接続される。
【００２９】
コルゲートパイプ23を設置する際は、図１４に示すように、コルゲートパイプ23をそのまま或いは上下方向の径を小さく変形して設置（ａ）してもよく、コルゲートパイプ23を一部裁断して重ねて設置（ｂ）してもよい。コルゲートパイプ23を一部裁断して重ねて設置（ｂ）した場合は、大口径のコルゲートパイプ23の波型を堰として有効に利用することができ、或いは、勾配の緩い螺旋を設定することができる。
【図面の簡単な説明】
【００３０】
【図１】実施例１の螺旋魚道を示す斜視図である。
【図２】実施例１におけるユニットの変形例を示す斜視図である。
【図３】実施例１における支柱軸とユニットの接続構造を示す水平断面図である。
【図４】実施例１における支柱軸ユニットの組立て構造を示す斜視図である。
【図５】実施例１における支柱軸ユニットの変形例を示す斜視図である。
【図６】実施例１における入口付近の変形例を示す斜視図である。
【図７】実施例１における出口付近の変形例を示す斜視図である。
【図８】実施例１における出口付近の別の変形例を示す斜視図である。
【図９】実施例２におけるユニット螺旋を示す斜視図である。
【図１０】実施例２におけるユニット螺旋の変形例を示す斜視図である。
【図１１】実施例２における堰板の固定構造を示す斜視図である。
【図１２】実施例２における堰板の変形例を示す斜視図である。
【図１３】実施例３におけるコルゲートパイプを示す斜視図である。
【図１４】実施例３におけるコルゲートパイプの設置例を示す断面図である。
【符号の説明】
【００３１】
１  外枠
３  支柱軸
４ａ  ユニット
10  係止手段
【図１】
2009287208.tif 000003
【図２】
2009287208.tif 000004
【図３】
2009287208.tif 000005
【図４】
2009287208.tif 000006
【図５】
2009287208.tif 000007
【図６】
2009287208.tif 000008
【図７】
2009287208.tif 000009
【図８】
2009287208.tif 000010
【図９】
2009287208.tif 000011
【図１０】
2009287208.tif 000012
【図１１】
2009287208.tif 000013
【図１２】
2009287208.tif 000014
【図１３】
2009287208.tif 000015
【図１４】
2009287208.tif 000016